(57)【要約】【課題】ケーブルとコネクタとを簡便に接続可能な、ケーブルとコネクタとの接続装置と接続方法を提供する。【解決手段】本発明の接続装置は、コネクタ１１と、コネクタ１１内部に挿入される基台２０とを有する。コネクタ１１には、ピン１３が設けられた外部接続部１２と、一方の端部が開口した中空の円筒状をしており、他方の端部には、他方の端部から一方の端部に向かって突出し、ピン１３とは接続線１９によって接続されており、ケーブルの芯線３６と接続される結合端子１６が円周上に設けられている受け入れ部１５とが設けられている。基台２０には、一方の端部から他方の端部まで連通する円筒状の固定部２１が設けられており、基台２０は固定部２１側から受け入れ部１５に挿入され、固定部２１には、受け入れ部１５に挿入される側の端面に、放射状に、結合端子１６と対応する位置に芯線３６を位置決めして保持するガイド２５が設けられている。【選択図】図６
2011119121.tif 000002
【特許請求の範囲】
【請求項１】
ケーブルの芯線が接続されるコネクタと、前記芯線が配置され、前記コネクタ内部に挿入される基台とを少なくとも有する、ケーブルとコネクタとの接続装置であり、
前記コネクタには、ピンが設けられた外部接続部と受け入れ部とが設けられており、
前記コネクタの前記受け入れ部は、一方の端部が開口している中空の円筒状をしており、他方の端部には、前記他方の端部から前記一方の端部に向かって突出し、前記ピンとは接続線によって接続されており、前記ケーブルの芯線と接続される結合端子が円周上に設けられており、
前記基台には、一方の端部から他方の端部まで連通する中空部が設けられた円筒状の固定部が設けられており、前記基台は前記固定部側から前記受け入れ部に挿入され、
前記基台の前記固定部には、前記コネクタの前記受け入れ部に挿入される側の端面に、放射状に、前記結合端子と対応する位置に前記芯線を位置決めして保持するためのガイドが設けられている、ケーブルとコネクタの接続装置。
【請求項２】
前記基台の前記固定部の前記ガイドが設けられている端面とは反対の端面に、前記中空部を有し、前記固定部側は太く、前記固体部側とは反対側になるにつれて細くなっている挿入部が接続されている、請求項１に記載のケーブルとコネクタの接続装置。
【請求項３】
前記基台の前記挿入部の前記固定部側の外周は前記ケーブルの被覆の内周よりも大きく、前記固定部とは反対側の外周は前記ケーブルの被覆の内周よりも小さい、請求項２に記載のケーブルとコネクタとの接続装置。
【請求項４】
前記受け入れ部の前記開口より前記他方の端部側に位置し中心に向かって突出する凸部が設けられており、
前記接続装置には、中空の円筒状をしており、外面には前記コネクタの前記凸部と対応する位置に凹部を有し、前記基台を前記コネクタの前記受け入れ部内に保持するために前記受け入れ部内に部分的に挿入されるブーツが設けられている、請求項１から３のいずれか１項に記載のケーブルとコネクタとの接続装置。
【請求項５】
前記ブーツの内周は前記ケーブルの被覆の外周と同じであり、前記ブーツの外周は前記コネクタの前記受け入れ部の内周と同じである、請求項４に記載のケーブルとコネクタとの接続装置。
【請求項６】
前記基台の前記固定部の前記ガイドが設けられている前記端面には、前記コネクタの前記ピンと対応する位置を全て通る同心円状の溝が設けられている、請求項１から５のいずれか１項に記載のケーブルとコネクタとの接続装置。
【請求項７】
前記接続装置はＬＡＮケーブルとＬＡＮケーブル用コネクタとを接続する接続装置であり、
前記コネクタの前記外部接続部には、１番から８番までの番号を有する８本の前記ピンが１列に並んで順番に設けられており、
前記コネクタの前記外部接続部の前記受け入れ部とは反対側から見たときに、前記ピンが水平に、かつ左端が１番のピンで右端が８番のピンになるように前記コネクタを配置して、前記結合端子の位置を、３６０°を１２等分した時計の文字盤の表示を用いて表現したときに、
１番の前記ピンと８時の位置にある前記結合端子、２番の前記ピンと９時の位置にある前記結合端子、３番の前記ピンと７時および１０時の位置にある前記結合端子、４番の前記ピンと６時および１１時の位置にある前記結合端子、５番の前記ピンと５時および１２時の位置にある前記結合端子、６番の前記ピンと１時および４時の位置にある前記結合端子、７番の前記ピンと２時の位置にある前記結合端子、８番の前記ピンと３時の位置にある前記結合端子、とがそれぞれ接続されている、請求項１から６のいずれか１項に記載のケーブルとコネクタとの接続装置。
【請求項８】
ピンが設けられた外部接続部と、一方の端部が開口している中空の円筒状をしており、他方の端部には、前記他方の端部から前記一方の端部に向かって突出し、円周上に配置され、前記ピンとは接続線によって接続されている結合端子を有する受け入れ部とが設けられているコネクタと、一方の端部から他方の端部まで連通する中空部が設けられた中空の円筒状の固定部が設けられている基台とを用いた、ケーブルとコネクタとの接続方法であって、
前記ケーブルの端部の被覆を剥いて露出させた前記ケーブルの芯線を、前記基台の前記中空部を介して前記固定部の前記一方の端面から突出させ、
前記固定部から突出した前記芯線を、前記固定部の前記一方の端面に放射状に、かつ前記結合端子に対応する位置に設けられたガイド内に配置して、前記ガイド内に配置した前記芯線の、前記固定部の前記一方の端面の外周から飛び出した部分を切除し、
前記コネクタの前記受け入れ部内に前記固定部を前記一方の端面側から挿入し、前記結合端子を、前記ガイド内に配置された前記芯線に押し当てて該芯線の被覆を破って内部まで進入させることにより、前記芯線を前記結合端子と前記接続線とを介して前記ピンに接続させる、
ケーブルとコネクタとの接続方法。
【請求項９】
前記基台の前記固定部の前記ガイドが設けられた前記一方の端面とは反対の端部に、前記中空部を有し、前記固定部側とは反対側になるにつれて細くなる挿入部を設け、前記ガイドに前記芯線を配置する前に前記挿入部を前記ケーブルの被覆の内部に挿入する、請求項８に記載のケーブルとコネクタとの接続方法。
【請求項１０】
中空の円筒状をしており、外面に凹部を有するブーツを、前記ケーブルの被覆を剥く前に前記ケーブルに通しておき、前記結合端子と前記芯線が接続した後に、前記ケーブルを前記受け入れ部内に挿入し、前記受け入れ部の前記開口より前記他方の端部側に設けた中心に向かって突出する凸部と前記ケーブルの前記凹部とを嵌め合いさせる、請求項８または９に記載のケーブルとコネクタとの接続方法。
【請求項１１】
前記基台の前記固定部の前記一方の端面に同心円状の溝を設け、前記コネクタの前記結合端子が前記溝内に入るようにする、請求項８から１０のいずれか１項に記載のケーブルとコネクタとの接続方法。
【請求項１２】
前記ケーブルは、前記芯線が２本ずつ撚られたツイストペア線を有しており、前記基台の前記ガイドに配置される長さだけ前記ツイストペア線の撚りを戻す、請求項８から１１のいずれか１項に記載のケーブルとコネクタとの接続方法。
【請求項１３】
前記芯線は、前記芯線同士が交差しない位置の前記ガイドに配置する、請求項８から１２のいずれか１項に記載のケーブルとコネクタとの接続方法。
【発明の詳細な説明】
【技術分野】
【０００１】
本発明は、ケーブルとコネクタとの接続装置および接続方法に関し、特にＬＡＮケーブルとコネクタとの接続に関する。
【背景技術】
【０００２】
コンピュータや周辺機器などの端末機器同士の接続には、ＬＡＮ（Ｌｏｃａｌ Ａｒｅａ Ｎｅｔｗｏｒｋ）ケーブルが使用されている。そして、ＬＡＮケーブルの端部には、端末機器と接続するためのコネクタ、一般的にはＲＪ４５コネクタ（ＦＣＣ：連邦通信委員会の規格）が設けられている。
【０００３】
ＬＡＮケーブルとコネクタとの接続は、一般的に以下の方法で行われる（例えば特許文献１）。ＬＡＮケーブルの被覆を剥き、ＬＡＮケーブル内の２本の芯線が撚られた４組のツイストペア線を剥き出して、撚りを戻す。撚りを戻したツイストペア線の８本の芯線を、コネクタ内に１列に並べて設けられた挿入路に挿入する。そして、コネクタに設けられており、挿入路に対して垂直方向上方に配置されている金属薄板からなるピンを芯線に押し込み、すなわち芯線の被覆を破ってその内部まで挿入することで、ピンの一方の端部が芯線と圧着され、芯線とピンとが接続される。このようにして、コネクタとＬＡＮケーブルとが接続される。また、ピンの他方の端部は、コネクタとコンピュータや周辺機器の端末との接触部となる。この後に、コネクタとＬＡＮケーブルとの接続部をブーツで覆い、接続部を保護する場合もある。
【先行技術文献】
【特許文献】
【０００４】
【特許文献１】特開２００９−１３４９１２号公報
【発明の概要】
【発明が解決しようとする課題】
【０００５】
ＬＡＮケーブルとコネクタとの接続においては、ノイズ混入防止などのためにツイストペア線の撚り戻し長さをできるだけ短い長さにし、かつツイストペア線を撚り戻した芯線の長さを均一にする、芯線は無理に曲げないようにする、などの必要がある。しかしながら、上述した方法では、図１３に示すように、ツイストペア線５１の撚り戻し長さが長い（Ａ）、撚り戻し長さが不均一（Ｂ）、芯線５２の無理な曲げ（Ｃ）、あるいは挿入路５３への差込み不良（Ｄ）などの問題が生じる場合があった。このようなＬＡＮケーブル５４とコネクタ５５との接続不良は、例えば伝送速度が低くなる、または、ノイズ干渉が大きくなる、などの伝送品質の低下を招く。また、芯線５２とピン５６とを圧着するときには圧着工具が必要であり、均一に圧着するのが難しく、また、圧着しすぎると、ピン５６の他方の端部が芯線５２側に押し込まれすぎてしまい、ピン５６の他方の端部とコンピュータや周辺機器の端末との間に隙間ができ、接触しなくなってしまう。
【０００６】
本発明の目的は、上記課題である、ツイストペア線の撚り戻し長さを短く均一にした状態で、簡便にＬＡＮケーブルとコネクタとを接続するのは困難であるという問題を解決する、ケーブルとコネクタとの接続装置と接続方法を提供する。
【課題を解決するための手段】
【０００７】
本発明のケーブルとコネクタとの接続装置は、ケーブルの芯線が接続されるコネクタと、芯線が配置され、コネクタ内部に挿入される基台とを少なくとも有する。コネクタには、ピンが設けられた外部接続部と受け入れ部とが設けられている。コネクタの受け入れ部は、一方の端部が開口している中空の円筒状をしており、他方の端部には、他方の端部から一方の端部に向かって突出し、ピンとは接続線によって接続されており、ケーブルの芯線と接続される結合端子が円周上に設けられている。基台には、一方の端部から他方の端部まで連通する中空部が設けられた円筒状の固定部が設けられている。基台は固定部側から受け入れ部に挿入され、基台の固定部は、コネクタの受け入れ部に挿入される側の端面に、放射状に、結合端子と対応する位置に芯線を位置決めして保持するためのガイドが設けられている。
【発明の効果】
【０００８】
本発明によると、ツイストペア線の撚り戻し長さを短く均一にできるため、伝送品質の低下を防止でき、ＬＡＮケーブルとコネクタとを簡便に接続することができる。
【図面の簡単な説明】
【０００９】
【図１】本発明に係る接続装置の一部であるコネクタの一実施形態を示す概略図であり、（ａ）は外観斜視図、（ｂ）は（ａ）の下方からの透視図、（ｃ）は（ａ）のＸ方向から見た概略図である。
【図２】本発明に係る接続装置の一部である基台の一実施形態を示す概略図であり、（ａ）は外観斜視図、（ｂ）は（ａ）のＹ方向から見た概略図、（ｃ）は基台の断面の概略図である。
【図３】本発明に係る接続装置の一部であるブーツの一実施形態を示す概略図であり、（ａ）は外観斜視図、（ｂ）はブーツの断面の概略図である。
【図４】ストレートケーブルと接続する場合のコネクタのピンアサイン図である。
【図５】各芯線をガイドのどの位置に配置するかを示した図であり、（ａ）は、ＬＡＮケーブルを図４のＸ方向に見たときの配置図であり、（ｂ）はＬＡＮケーブルを図４のＸ’方向に見たときの配置図である。
【図６】基台の挿入部がＬＡＮケーブルの被覆の中に挿入され、基台のガイドに芯線が配置された状態の概略斜視図である。
【図７】コネクタの向きを示す概略図であり、（ａ）は芯線が図５（ａ）の配置になっているとき、（ｂ）は芯線が図５（ｂ）の配置になっているときである。
【図８】基台の固定部のガイドとコネクタの結合端子との結合部の拡大概略図である。
【図９】コネクタの下方から見たときの接続装置全体の透視図である。
【図１０】クロスケーブルと接続する場合のコネクタのピンアサイン図である。
【図１１】、各芯線をガイドのどの位置に配置するかを示した図であり、（ａ）は、ＬＡＮケーブルを図１０のＸ方向に見たときの配置図であり、（ｂ）はＬＡＮケーブルを図１０のＸ’方向に見たときの配置図である。
【図１２】コネクタの向きを示す概略図であり、（ａ）は芯線が図１１（ａ）の配置になっているとき、（ｂ）は芯線が図１１（ｂ）の配置になっているときである。
【図１３】関連技術の一例のコネクタとケーブルを接続する方法でコネクタとＬＡＮケーブルとを接続したときの様子を示す概略図である。
【発明を実施するための形態】
【００１０】
以下に、添付の図面に基づき、本発明の実施の形態を説明する。なお、同一の機能を有する構成には添付図面中、同一の番号を付与し、その説明を省略することがある。
【００１１】
本発明に係る接続装置は、コネクタ、基台、およびブーツから構成される。
【００１２】
図１は、本発明に係る接続装置の一部であるコネクタの一実施形態を示す概略図であり、（ａ）は外観斜視図、（ｂ）は（ａ）の下方からの透視図、（ｃ）は（ａ）のＸ方向から見た概略図である。
【００１３】
コネクタ１１は、外部接続部１２と、後述する基台２０を受け入れる受け入れ部１５とを有し、外部接続部１２と受け入れ部１５とは接続されている。
【００１４】
外部接続部１２は、コンピュータや周辺機器の端末と接続し、信号の受け渡しを行う。外部接続部１２は、メス側のコネクタ（図示せず）の形状と対応した形状をしており、例えば、国際規格であるＩＥＣ６０６０３−７規格に準拠した外形形状およびピン１３の配列がなされている。ピン１３には、コネクタ１１を、ピン１３を下側（後述するツメ１４を上側）に向けて配置してＸ方向（図１（ａ）参照）から見たときに左から１番、２番、３番、・・・８番となるようにそれぞれ番号が振り分けられている。また、コンピュータや周辺機器の端末との接続を維持するロック用のツメ１４が設けられている。
【００１５】
受け入れ部１５は中空の円筒形状をしており、受け入れ部１５の内周は、図２に示す基台２０の固定部２１の外周と同じ、または少し大きくなっている。受け入れ部１５の外部接続部１２とは反対側（一方の端部側）は、基台２０を受け入れるために開口部１７となっている。受け入れ部１５の開口部１７より内側、つまり外部接続部１２側の内壁には、後述するブーツ３０の凹部３１と嵌め合い、コネクタ１１と基台２０とが離れないようにする凸部１８が突出して設けられている。また、受け入れ部１５の外部接続部１２側（他方の端部側）には、一方の端部に向かって突出する、１２本の結合端子１６が、基台２０の端面２４の内周と外周との間に設けられている同心円状の挿入溝２６と対応する円周上に等間隔に配置されている（図１、２、５〜８参照）。ピン１３と結合端子１６とは接続線１９を介して接続されている。便宜上、コネクタ１１を、ピン１３を下側に向けて配置して１番のピン１３から８番のピン１３までが水平に１列に並ぶように配置した状態において、Ｘ方向から見た場合の結合端子１６の位置を、３６０°を１２等分した時計の文字盤の表示を用いて表現したときに、１時の位置にある結合端子１６を１６1、２時の位置にある結合端子１６を１６2、３時の位置にある結合端子１６を１６3というように、１２本の結合端子１６をそれぞれ１６1〜１６12と表す。このようにすると、各ピン１３と、そのピン１３に接続線１９を介して接続される結合端子１６との関係は、（１番、１６8）、（２番、１６9）、（３番、１６7と１６10）、（４番、１６6と１６11）、（５番、１６5と１６12）、（６番、１６1と１６4）、（７番、１６2）、（８番、１６3）となっている。３番、４番、５番、６番のピン１３は、接続線１９を介してそれぞれ２つの結合端子１６に接続されている。なお、念のために補足すると、Ｘ方向と反対の方向から見ると、１番のピン１３が４時の位置の結合端子１６、２番のピン１３が３時の位置の結合端子１６、３番のピン１３が２時と５時の位置の結合端子１６、４番のピン１３が１時と６時の位置の結合端子１６、５番のピン１３が７時と１２時の位置の結合端子１６、６番のピン１３が８時と１１時の位置の結合端子１６、７番のピン１３が８時の位置の結合端子１６、８番のピン１３が９時の位置の結合端子１６とそれぞれ接続されると言える。これらの表現は、Ｘ方向の視点で表すか、Ｘ方向と反対の方向の視点で表すかによって異なるが、実質的な内容は同じである。
【００１６】
図２は、本発明に係る接続装置の一部である基台２０の一実施形態を示す概略図であり、（ａ）は外観斜視図、（ｂ）は（ａ）のＸ方向から見た概略図、（ｃ）は基台２０の断面の概略図である。
【００１７】
基台２０は固定部２１と挿入部２２とが接続して一体的に設けられており、また、基台２０は、一方の端部から他方の端部まで連通する中空部２３が設けられている。
【００１８】
固定部２１は、内部に中空部２３を有する、中空の短い円筒形状をしている。上述のとおり、固定部２１の外周は、コネクタ１１の受け入れ部１５の内周と同じ、または少し小さくなっている。そして、固定部２１の受け入れ部１５に挿入される側の端面２４には、端面２４の中心から放射状に、結合端子１６と対応する位置に１２個の溝が設けられ、この溝が芯線３６（図５参照）を位置決めして保持するためのガイド２５となる。また、端面２４の内周と外周との間にはコネクタ１１の結合端子１６が挿入される挿入溝２６が同心円状に設けられている。
【００１９】
ガイド２５が設けられている端面２４とは反対側の端面に挿入部２２が接続されている。挿入部２２の一方の端部は固定部２１に接続されている。挿入部２２は、固定部２１と同様の中空部２３が設けられ、固定部２１側では外周が大きく、固定部２１とは反対側に向かうにつれて外周が小さくなる、円錐の頂部を切り取った形状をしている。挿入部２２の固定部２１側の端部の外周は、ＬＡＮケーブル３５（図４参照）の被覆の内周よりも大きくなっている。また、挿入部２２の、固定部２１とは反対側の端部の外周は、ＬＡＮケーブル３５の被覆の内周よりも小さくなっている。
【００２０】
図３は、本発明に係る接続装置の一部であるブーツ３０の一実施形態を示す概略図であり、（ａ）は外観斜視図、（ｂ）はブーツ３０の断面の概略図である。
【００２１】
ブーツ３０は、中空の円筒形状をしている。ブーツ３０の内周は、ＬＡＮケーブル３５の被覆の外周と同じ、または若干大きい程度にする。また、ブーツ３０の外周は、コネクタ１１の受け入れ部１５の内周とほぼ同じにする。また、ブーツ３０の外面には、コネクタ１１の受け入れ部１５の凸部１８と対応する位置に、凹部３１が設けられている。上述したが、この凹部３１とコネクタ１１の受け入れ部１５の凸部１８とが嵌め合い、コネクタ１１とブーツ３０との接続を維持している。
【００２２】
次に、コネクタ１１と、基台２０と、ブーツ３０とからなる接続装置を用いてＬＡＮケーブル３５とコネクタ１１とを接続する方法を説明する。
【００２３】
接続方法の一例として、ツイストペア線３７（図４参照）を使用するＬＡＮケーブル３５をストレートケーブルとし、コネクタ１１をＲＪ４５コネクタとしてＴＩＡ／ＥＩＡ−５６８−Ｂ規格（ＡＮＳＩ：米国規格協会の規格）で結線する方法を説明する。
【００２４】
始めにピンアサインについて説明する。
【００２５】
図４に、ＬＡＮケーブル３５と、コネクタ１１のピンアサイン図とを示す。なお、コネクタ１１は、正面から見た状態を示しており、外部接続部１２のみを図示している。また、ＬＡＮケーブル３５の配線は、ＬＡＮケーブル３５の両端部をそれぞれ矢印の方向から見たときの状態である。
【００２６】
ＬＡＮケーブル３５は、８本の芯線３６が、２本ずつ撚られ、４組のツイストペア線３７が設けられている。ツイストペア線３７は被覆で覆われている。ツイストペア線３７の各組の芯線３６の具体的な組み合わせを芯線３６の被覆の色で表すと、白／橙と橙、白／緑と緑、白／青と青、白／茶と茶、となっている。また、ＴＩＡ／ＥＩＡ−５６８−Ｂ規格では、ピン１３の番号と芯線３６の被覆の色との組み合わせがそれぞれ、１番：白／橙、２番：橙、３番：白／緑、４番：青、５番：白／青、６番：緑、７番：白／茶、８番：茶と決まっている。
【００２７】
ＬＡＮケーブル３５は、４組のツイストペア線３７がそれぞれ平行に伸び、ツイストペア線３７同士は交差しないため、一方の端部を見たときと他方の端部を見たときでは、左右のツイストペア線３７の配置が左右対称になる。
【００２８】
次に図５および図６を用いて結線方法を説明する。なお、図４ではＬＡＮケーブル３５の両端にコネクタ１１をそれぞれ図示しているが、結線方法は同じであるため、以下の説明では別々に説明しない。
【００２９】
図５は、各芯線３６をガイド２５のどの位置に配置するかを示した図であり、（ａ）は、ＬＡＮケーブル３５を図４のＸ方向（左から右に向かう方向）に見たときの配置図であり、（ｂ）はＬＡＮケーブル３５を図４のＸ’方向（右から左に向かう方向）に見たときの配置図である。
【００３０】
図６は、基台２０の挿入部２２がＬＡＮケーブル３５の被覆の中に挿入され、基台２０のガイド２５に芯線３６が配置された状態の概略斜視図である。
【００３１】
予めブーツ３０にＬＡＮケーブル３５を通しておく。ＬＡＮケーブル３５の被覆を剥いた直後にブーツ３０にＬＡＮケーブル３５を通してもよい。ストリッパなどを使い、ＬＡＮケーブル３５の端部の被覆を、ツイストペア線３７の撚りを戻さずに２０ｍｍ程度剥き、ツイストペア線３７を基台２０の挿入部２２側から中空部２３に挿入し、固定部２１側から外部に突出させる。また、基台２０の挿入部２２を、ＬＡＮケーブル３５の被覆とツイストペア線３７との間に挿入する。
【００３２】
次に、固定部２１から突出したツイストペア線３７の撚りを戻し、撚りを戻した芯線３６を、基台２０のガイド２５に沿って配置する。このとき、固定部２１の中空部２３内ではツイストペア線３７の撚りを戻さず、ガイド２５に配置する部分だけツイストペア線３７の撚りを戻すようにする。
【００３３】
ツイストペア線３７の撚りを戻す長さをできるだけ短くするためには、各芯線３６をそれに最も近接するガイド２５に配置することが好ましい。したがって、ＬＡＮケーブル３５をＸ方向（左から右に向かう方向）に見た場合、ガイド２５の位置と芯線３６の配置は、芯線３６の被覆の色を用い、かつガイド２５の位置を、３６０°を１２等分した時計の文字盤の表示を用いて表現すると、図５（ａ）に示すように、（１時、青）、（３時、白／橙）、（４時、橙）、（５時、白／緑）、（８時、緑）、（９時、白／茶）、（１０時、茶）、（１２時、白／青）となるようにする。
【００３４】
図４に示したように、ＬＡＮケーブル３５をＸ方向（左から右に向かう方向）に見たときと、Ｘ’方向（右から左に向かう方向）に見たときでは、ツイストペア線３７の配置が左右対称になるため、白／橙と橙のツイストペア線３７と白／茶と茶のツイストペア線３７の位置が変わっていて、白／青と青のツイストペア線３７と白／緑と緑のツイストペア線３７の位置は変わっていない。ＬＡＮケーブル３５を右から左に見たとき、ガイド２５の位置と芯線３６の配置は、上記と同様に時計の文字盤の表示を用いて表現すると、図５（ｂ）に示すように、（１時、白／青）、（３時、白／茶）、（４時、茶）、（５時、緑）、（８時、白／緑）、（９時、白／橙）、（１０時、橙）、（１２時、青）となるようにする。
【００３５】
上記のようにツイストペア線３７の撚りを戻し、芯線３６を基台２０のガイド２５に配置した後に、芯線３６の、ガイド２５から突き出た、つまり、基台２０の固定部２１の外周部分からはみ出した部分は切除する。なお、図５の状態は、芯線３６の切除前の状態である。このようにして、図６（挿入溝２６は不図示）に示すように、基台２０の挿入部２２がＬＡＮケーブル３５の被覆の中に挿入され、基台２０のガイド２５に芯線３６が配置された状態になる。
【００３６】
次に、基台２０を保持した状態で、図６に示すように、コネクタ１１を、受け入れ部１５が基台２０の端面２４に向いた状態でその基台２０側に向けて（図中の矢印の方向）移動させて、コネクタ１１の受け入れ部１５内に基台２０の固定部２１を挿入する。このとき、コネクタ１１のピン１３の番号と芯線３６の被覆の色が、上述のように、１番：白／橙、２番：橙、３番：白／緑、４番：青、５番：白／青、６番：緑、７番：白／茶、８番：茶となるように、コネクタ１１を回して位置合わせしてから、コネクタ１１を基台２０に向けて移動させる。なお、芯線３６が図５（ａ）の配置になっているとき、コネクタ１１を図４のＸ方向から見ると、図７（ａ）に示すような位置になるように角度を調節してから（結果的にコネクタ１１の上下をほぼ反転させてから）、コネクタ１１を図６の矢印の方向に移動させる。また、ＬＡＮケーブル３５の反対側の端部では、芯線３６が図５（ｂ）の配置になっているため、コネクタ１１を図４のＸ’方向から見ると、図７（ｂ）に示すような位置になるように角度を調節してから、コネクタ１１を移動させる。
【００３７】
コネクタ１１の受け入れ部１５に基台２０の固定部２１を挿入していくと、図８に基台２０の固定部２１のガイド２５とコネクタ１１の結合端子１６との結合部の拡大概略図を示すように、コネクタ１１の結合端子１６が、基台２０のガイド２５に配置された芯線３６を挿入溝２６の位置で挟み込む。そしてさらに押し当てると、結合端子１６が芯線３６の被覆を破り、芯線３６の被覆内部の信号を伝達する線と接触する。
【００３８】
図９は、コネクタ１１の下方から見たときの接続装置全体の透視図である。ブーツ３０をコネクタ１１の受け入れ部１５に押し込んで、コネクタ１１の受け入れ部１５の内壁から突出する凸部１８と、ブーツ３０の外壁に設けられた凹部３１とを嵌め合いさせることで、ブーツ３０とコネクタ１１とが接合される。ブーツ３０は、受け入れ部１５内に部分的に挿入されて、基台２０を受け入れ部１５内に押し込んで保持する働きをする。
【００３９】
また、基台２０の挿入部２２は、固定部２１側の方が太くなっているので、基台２０の挿入部２２をＬＡＮケーブル３５の被覆内に挿入すると、ＬＡＮケーブル３５の被覆の端部は基台２０の挿入部２２の形状に合わせて広がる。上述のように、ブーツ３０の凹部３１とコネクタ１１の凸部１８とを嵌め合いすると、基台２０へブーツ３０が押し込まれ、ＬＡＮケーブル３５の被覆の端部が、基台２０の挿入部２２と、ブーツ３０とに挟まれ、ＬＡＮケーブル３５が固定される。
【００４０】
上述したように、関連技術のコネクタのピンとＬＡＮケーブルとの接続方法では、被覆を剥いたＬＡＮケーブルのツイストペア線の撚りを戻し、芯線をコネクタのピンの位置に合わせて、曲げたり、芯線同士を交差させたりして接続していた（図１３参照）。そのため、ツイストペア線の撚り戻しが長くなったり、不均一であったり、無理な曲げをしている場合があった。
【００４１】
本発明では、被覆を剥いたＬＡＮケーブル３５のツイストペア線３７の撚り戻しの長さは、芯線３６が基台２０のガイド２５に配置可能でありさえすれば十分である。また、各ツイストペア線３７と隣接する位置のガイド２５に芯線３６を配置するようになっているため、ツイストペア線３７の撚り戻し長さを短く、均一にすることができる。さらに、芯線３６同士が交差することもない。関連技術のコネクタでは、ツイストペア線の撚りを戻し、芯線を１列に配列させ、コネクタの挿入路内に挿入していた。本発明のコネクタ１１は、一列に並んだピン１３と、芯線３６と接続する結合端子１６とが接続線１９で接続されているため、結合端子１６を１列ではなく同心円状に配置することができる。したがって、断面円形のＬＡＮケーブル３５内に収容されているツイストペア線３７の各芯線３６を、隣接する結合端子１６に接続するまでの距離が短くてすみ、接続ミス（芯線３６と結合端子１６の対応関係が狂うこと）が生じる可能性を非常に小さくすることができるなど、芯線３６の配置が簡便にできる。また、コネクタ１１に対してＬＡＮケーブル３５をどのような角度で挿入しても、コネクタ１１を受け入れ部１５の円周方向に回転させれば、コネクタ１１の各ピン１３とＬＡＮケーブル３５の各芯線３６とが、前記した適切な対応関係で配置された状態が容易に実現するようになっている。
【００４２】
また、本実施形態では、図７（ａ）、（ｂ）に示すように、３番から６番までのピン１３をそれぞれ２つの結合端子１６に接続してある。表１に、図５（ａ）のときのピン１３の番号と結合端子１６とガイド２５の位置と芯線３６の被覆の色の関係を示し、表２に図５（ｂ）のときのピン１３の番号と結合端子１６とガイド２５の位置と芯線３６の被覆の色の関係を示す。図４および図５に示すように、ＬＡＮケーブル３５を一方の端部と他方の端部とは鏡写しのように、上下のツイストペア線３７はそのままで、左右のツイストペア線３７が入れ替わる。具体的には芯線３６の被覆の色が、白／青と青、白／緑と緑の組み合わせのツイストペア線３７の位置は変わらない。白／橙と橙、白／茶と茶の組み合わせのツイストペア線３７の位置が変わる。そのため、表１に示すように、例えばガイド２５の位置が、時計の文字盤の表示を用いると３時、４時に配置されていた被覆の色が白／橙と橙の芯線３６は、表２に示すように、１８０°移動してそれぞれ９時、１０時のガイド２５の位置に移動する。しなしながら、被覆の色が白／緑の芯線３６は、表１に示すようにガイド２５の位置が５時に配置されていたが、表２に示すように、１８０°移動した１１時ではなく８時の位置のガイド２５に配置される。つまり、ピン１３が１つの結合端子１６のみに接続されるのではなく、番号が３番から６番のピン１３は接続線１９を介して接続される結合端子１６を複数設けることで、例えばＬＡＮケーブル３５の一方の端部用と他方の端部用のように複数種類のコネクタ１１を準備しなくても、コネクタ１１を受け入れ部１５の円周方向に回転させれば、コネクタ１１のピン１３の番号と芯線３６の配置が適合するようになっている。
【００４３】
さらに、コネクタ１１を受け入れ部１５の円周方向に回転させれば、コネクタ１１のピン１３の番号と芯線３６の配置が適合するようになっていることから、芯線３６とピン１３の組み合わせを間違える接続ミスを減らすこともできる。
【００４４】
【表１】
2011119121.tif 000003
【００４５】
【表２】
2011119121.tif 000004
【００４６】
次に、接続方法の他の一例として、ツイストペア線３７を使用するＬＡＮケーブル３５をクロスケーブルとし、コネクタ１１をＲＪ４５コネクタとして結線する方法を説明する。
【００４７】
図１０を用いて、ピンアサインについて説明する。
【００４８】
図１０に、ＬＡＮケーブル３５と、コネクタ１１のピンアサイン図とを示す。なお、コネクタ１１は、外部接続部１２のみを図示し、正面から見た状態を示している。また、ＬＡＮケーブル３５の配線は、ＬＡＮケーブル３５の両端部をそれぞれ矢印の方向から見たときの状態である。
【００４９】
ツイストペア線３７を構成する芯線３６の組み合わせはストレートケーブルと変わらない。しかしながら、クロスケーブルでは、一方の端部はＴＩＡ／ＥＩＡ−５６８−Ｂ規格であり、他方の端部はＴＩＡ／ＥＩＡ−５６８−Ａ規格（ＡＮＳＩ：米国規格協会の規格）となっている。ＴＩＡ／ＥＩＡ−５６８−Ａ規格では、ピン１３の番号と芯線３６の被覆の色との組み合わせがそれぞれ、１番：白／緑、２番：緑、３番：白／橙、４番：青、５番：白／青、６番：橙、７番：白／茶、８番：茶と決まっている。つまり、白／緑と緑の組のツイストペア線３７と、白／橙と橙の組のツイストペア線３７とが入れ替わった結線である。
【００５０】
図１０では、ＬＡＮケーブル３５を左から右に見たときにはＴＩＡ／ＥＩＡ−５６８−Ａ規格であり、ＬＡＮケーブル３５を右から見たときにはＴＩＡ／ＥＩＡ−５６８−Ｂ規格となっている。
【００５１】
次に結線方法を説明する。なお、基台２０のガイド２５に配置するまでの手順は上述と同様であるため、省略する。
【００５２】
図１１は、各芯線３６をガイド２５のどの位置に配置するかを示した図であり、（ａ）は、ＬＡＮケーブル３５を図１０のＸ方向（左から右に向かう方向）に見たときの配置図であり、（ｂ）はＬＡＮケーブル３５を図１０のＸ’方向（右から左に向かう方向）に見たときの配置図である。なお、図１１の状態は、芯線３６の切除前の状態である。
【００５３】
ＬＡＮケーブル３５をＸ方向（左から右に向かう方向）に見た場合、ガイド２５の位置と芯線３６の配置は、上記と同様に時計の文字盤の表示を用いて表現すると、図１１（ａ）に示すように、（１時、青）、（３時、白／橙）、（４時、橙）、（５時、白／緑）、（８時、緑）、（９時、白／茶）、（１０時、茶）、（１２時、白／青）となるようにする。
【００５４】
図１０に示したように、本実施例のＬＡＮケーブル３５はクロスケーブルであるため、ＬＡＮケーブル３５をＸ’方向（右から左に向かう方向）に見たときでは、上述した実施例の図５（ｂ）とは異なり、白／緑と緑の組のツイストペア線３７と、白／橙と橙の組のツイストペア線３７とが入れ替わる。つまり、ガイド２５の位置と芯線３６の配置は、上記と同様に時計の文字盤の表示を用いて表現すると、図１１（ｂ）に示すように（１時、白／青）、（３時、白／茶）、（４時、茶）、（５時、橙）、（８時、白／橙）、（９時、白／緑）、（１０時、緑）、（１２時、青）となるようにする。
【００５５】
次に、基台２０を保持した状態で、コネクタ１１を移動させて、コネクタ１１の受け入れ部１５内に基台２０の固定部２１を挿入する（図６参照）。このとき、図１１（ａ）で示すＴＩＡ／ＥＩＡ−５６８−Ｂ規格の結線である場合は、コネクタ１１を図１０のＸ方向から見ると、図１２（ａ）の位置、つまり、コネクタ１１のピン１３の番号と芯線３６の被覆の色が、１番：白／橙、２番：橙、３番：白／緑、４番：青、５番：白／青、６番：緑、７番：白／茶、８番：茶となるように、コネクタ１１の角度を調節して位置を合わせてから（結果的にコネクタ１１の上下をほぼ反転させてから）、コネクタ１１を基台２０に向けて移動させる（図６参照）。また、図１１（ｂ）に示すＴＩＡ／ＥＩＡ−５６８−Ａ規格の結線である場合は、コネクタ１１を図１０のＸ’方向から見ると、図１２（ｂ）の位置、つまり、コネクタ１１のピン１３の番号と芯線３６の被覆の色が、１番：白／緑、２番：緑、３番：白／橙、４番：青、５番：白／青、６番：橙、７番：白／茶、８番：茶となるように、コネクタ１１の角度を調節し位置を合わせてから、コネクタ１１を基台２０に向けて移動させる。
【００５６】
以降の手順は上述の実施例と同様である。
【００５７】
本発明の接続方法は、ＬＡＮケーブルとコネクタとの接続に限定されず、本発明の接続装置であるコネクタ、基台、およびブーツのいずれかを使用する方法であればよい。例えば、平行伝送用ケーブルコネクタとケーブルとの接続などにも適用できる。
【符号の説明】
【００５８】
１１コネクタ
１２外部接続部
１３ピン
１４ツメ
１５受け入れ部
１６結合端子
１７開口部
１８凸部
１９接続線
２０基台
２１固定部
２２挿入部
２３中空部
２４端面
２５ガイド
２６挿入溝
３０ブーツ
３１凹部
３５ＬＡＮケーブル
３６芯線
３７ツイストペア線
【図１】
2011119121.tif 000005
【図２】
2011119121.tif 000006
【図３】
2011119121.tif 000007
【図４】
2011119121.tif 000008
【図５】
2011119121.tif 000009
【図６】
2011119121.tif 000010
【図７】
2011119121.tif 000011
【図８】
2011119121.tif 000012
【図９】
2011119121.tif 000013
【図１０】
2011119121.tif 000014
【図１１】
2011119121.tif 000015
【図１２】
2011119121.tif 000016
【図１３】
2011119121.tif 000017